【手続補正書】
【提出日】平成17年9月8日(2005.9.8)
【手続補正１】
【補正対象書類名】明細書
【補正対象項目名】特許請求の範囲
【補正方法】変更
【補正の内容】
【特許請求の範囲】
【請求項１】
下記の工程を有することを特徴とするくじ引きゲーム(lottery game)を開催する方法：
くじ引きゲーム参加者（以下「参加者」という）３の少くとも１つの可搬メモリ装置４を用意すること、但し、該可搬メモリ装置４は情報ユニット２１に接続可能でありかつ少くとも１つのマイクロプロセッサ３２及びマイクロプロセッサ３２に接続されたタイマーユニット２７、メモリ２６及び入出力装置２９を備える；
該可搬メモリ装置のタイマーユニットに接続可能な時間特性測定装置１４を用意すること；
可搬メモリ装置４をコンピュータ２１に接続すること；
該時間特性測定装置１４によってタイマーユニット２７から出力されたデータＮの周波数ｆ又は期間（時間間隔）ｔの少くとも１つを測定し、測定した周波数ｆ又は期間ｔのデータを該コンピュータ２１に記憶すること；
該コンピュータ２１により、該精密タイマー１６から出力されたデータＴ１を読みとり、記憶すること；
該コンピュータ２１により、データＴ１が該精密タイマー１６から出力された時点において該タイマーユニット２７から出力されたデータＮ１を読みとり記憶すること；
該可搬メモリ装置４を該コンピュータ２１から非接続にすること；
参加者３に、少くとも１つの可搬メモリ装置４へのアクセスを許容してくじ引きゲームを行うことを許容し、その間に真の情報及びその生成時間が記録されること；
入出力装置２９により、参加者３により入力された、くじ引きゲームに関連するｉ番目の仮想的情報を受けとり、該マイクロプロセッサ３２によりこのｉ番目の仮想的情報を該データＮ（ｉ）と共に該メモリ２６に記録すること、但し該データＮ（ｉ）はｉ番目の仮想的情報が入力されるとき該タイマーユニットから出力される；
該可搬メモリ装置４を該コンピュータ２１に再び接続し、記録されたｉ番目の仮想的情報及び対応データＮ（ｉ）を読みとること；
該ｉ番目の仮想的情報を真の情報と比較し、比較結果が所定の一致レベルにあるとき、該コンピュータ２１で、下記の式
Ｔ（ｉ）＝Ｔ１＋［Ｎ（ｉ）−Ｎ１］＊Ｐ
但し、Ｐ＝１／ｆ  又は  Ｐ＝ｔ
により、該ｉ番目の情報を記録した時点Ｔ（ｉ）を計算すること；及び
計算された前記時点Ｔ（ｉ）に応じて参加者３の賞を決定すること。
【請求項２】
可搬メモリ装置４を該コンピュータ２１に再接続する間、該コンピュータ２１はさらに精密タイマー１６から出力されたデータＴ２及び該タイマーユニット２７から出力されたデータＮ２を、データＴ２が該精密タイマー１６から出力される時点で読みとり記憶し、そして、下記の式
Ｔ（ｉ）＝Ｔ２＋［Ｎ２−Ｎ（ｉ）］＊Ｐ
により、時点Ｔ（ｉ）を計算すること、を特徴とする請求項１に記載の方法。
【請求項３】
次式
Ｐ＝（Ｔ１−Ｔ２）／（Ｎ１−Ｎ２）
により、パラメータＰを計算することを特徴とする請求項２に記載の方法。
【請求項４】
該コンピュータ２１が、該タイマーユニット２７から出力されるデータＮの周波数ｆの相対的誤差Ｙを記憶し；
該可搬メモリ装置４への仮想的情報のｉ番目の記録と、コンピュータ２１による該データの読みとりとの間の時間Ｔを決定し；そして
積Ｙ＊Ｔの値における時点Ｔ（ｉ）を増大すること、を特徴とする請求項１に記載の方法。
【手続補正２】
【補正対象書類名】明細書
【補正対象項目名】０００９
【補正方法】変更
【補正の内容】
【０００９】
また、本方法は、内部メモリから読出される情報の現在時点と、読み時点において個々のメモリ装置の出力に存在している、メモリ中に格納されたデータの差と、タイマーの時間パラメーターとの積との代数和を計算することによって、個々のメモリ装置の内部メモリに情報を記録する時間を定めるようになされている。システムのデータ集計センター内の個々のメモリ装置の内部メモリに情報が記録される時間を計算するためにこの方法を実現するために、情報処理手段に接続された時間特性測定手段が用いられている。更に、くじ引きを開催するためにこのシステムを使用する間、真の情報源として、特別の機械的ロトトロンを使用することができる。
本発明の一視点によれば、下記の工程を有することを特徴とするくじ引きゲーム(lottery game)を開催する方法が提供される：
（１）くじ引きゲーム参加者（以下「参加者」という）３の少くとも１つの可搬メモリ装置４を用意すること、但し、該可搬メモリ装置４は情報ユニット２１に接続可能でありかつ少くとも１つのマイクロプロセッサ３２及びマイクロプロセッサ３２に接続されたタイマーユニット２７、メモリ２６及び入出力装置２９を備える；
（２）該可搬メモリ装置のタイマーユニットに接続可能な時間特性測定装置１４を用意すること；
（３）可搬メモリ装置４をコンピュータ２１に接続すること；
（４）該時間特性測定装置１４によってタイマーユニット２７から出力されたデータＮの周波数ｆ又は期間（時間間隔）ｔの少くとも１つを測定し、測定した周波数ｆ又は期間ｔのデータを該コンピュータ２１に記憶すること；
（５）該コンピュータ２１により、該精密タイマー１６から出力されたデータＴ１を読みとり、記憶すること；
（６）該コンピュータ２１により、データＴ１が該精密タイマー１６から出力された時点において該タイマーユニット２７から出力されたデータＮ１を読みとり記憶すること；
（７）該可搬メモリ装置４を該コンピュータ２１から非接続にすること；
（８）参加者３に、少くとも１つの可搬メモリ装置４へのアクセスを許容してくじ引きゲームを行うことを許容し、その間に真の情報及びその生成時間が記録されること；
（９）入出力装置２９により、参加者３により入力された、くじ引きゲームに関連するｉ番目の仮想的情報を受けとり、該マイクロプロセッサ３２によりこのｉ番目の仮想的情報を該データＮ（ｉ）と共に該メモリ２６に記録すること、但し該データＮ（ｉ）はｉ番目の仮想的情報が入力されるとき該タイマーユニットから出力される；
（１０）該可搬メモリ装置４を該コンピュータ２１に再び接続し、記録されたｉ番目の仮想的情報及び対応データＮ（ｉ）を読みとること；
（１１）該ｉ番目の仮想的情報を真の情報と比較し、比較結果が所定の一致レベルにあるとき、該コンピュータ２１で、下記の式
Ｔ（ｉ）＝Ｔ１＋［Ｎ（ｉ）−Ｎ１］＊Ｐ
但し、Ｐ＝１／ｆ  又は  Ｐ＝ｔ
により、該ｉ番目の情報を記録した時点Ｔ（ｉ）を計算すること；及び
（１２）計算された前記時点Ｔ（ｉ）に応じて参加者３の賞を決定すること。
前記方法において、さらに、可搬メモリ装置４を該コンピュータ２１に再接続する間、該コンピュータ２１はさらに精密タイマー１６から出力されたデータＴ２及び該タイマーユニット２７から出力されたデータＮ２を、データＴ２が該精密タイマー１６から出力される時点で読みとり記憶し、そして、下記の式
Ｔ（ｉ）＝Ｔ２＋［Ｎ２−Ｎ（ｉ）］＊Ｐ
により、時点Ｔ（ｉ）を計算すること、を特徴とする。
また、次式
Ｐ＝（Ｔ１−Ｔ２）／（Ｎ１−Ｎ２）
により、パラメータＰを計算することができる。
前記方法において、該コンピュータ２１が、該タイマーユニット２７から出力されるデータＮの周波数ｆの相対的誤差Ｙを記憶し；
該可搬メモリ装置４への仮想的情報のｉ番目の記録と、コンピュータ２１による該データの読みとりとの間の時間Ｔを決定し；そして
積Ｙ＊Ｔの値における時点Ｔ（ｉ）を増大することが好ましい。